(57)【特許請求の範囲】
【請求項１】
対向して配置された一対のクリップ片と合成樹脂製の略Ｕ字形のばねとを備えたクリップをハンガー本体に少なくとも２個設けるとともに、前記各クリップ片は、上方に該クリップ片を操作する操作部と、中間に前記ばねの端部と係合する係合部と、下方に被服を挟持する挟持部と、両側縁に該クリップ片を開閉する支点部とを備えており、前記係合部に前記ばねの端部を係合させて前記ばねの弾性力により前記一対のクリップ片の挟持部同士が押圧付勢するようにしたクリップを備えた被服用ハンガーにおいて、
前記各一対のクリップ片の側縁における前記支点部を水平方向に横切って前記一対のクリップ片の各側縁隅部に至る水平部と、前記水平部の各端部から水平方向の内側に突出する突出部と、前記各突出部の端部に内側に膨出する係止爪とを備えた連結具を形成し、
前記一対のクリップ片の側縁隅部近傍における表面に、前記連結具の係止爪と係止する切欠状の切欠係止部を形成して、
前記連結具と前記切欠係止部とを、対向して配置された前記各一対のクリップ片の少なくとも一方の側縁に備えていることを特徴とするクリップを備えた被服用ハンガー。
【請求項２】
前記連結具が位置する前記クリップ片には、前記連結具の厚みに対応する深さの溝状部を形成して、前記連結具を前記一対のクリップ片に装着したときに、前記クリップ片の外面を略面一にしたことを特徴とする請求項１に記載のクリップを備えた被服用ハンガー。
【請求項３】
前記溝状部は、前記一対のクリップ片を開閉する際に、前記連結具の移動を許容する空隙部を形成して、前記連結具の変形を軽減又は不要としたことを特徴とする請求項２に記載のクリップを備えた被服用ハンガー。
【請求項４】
前記連結具と前記切欠係止部とを、対向して配置された前記各一対のクリップ片の両側縁に備えていることを特徴とする請求項１〜３のいずれかに記載のクリップを備えた被服用ハンガー。
【請求項５】
前記対向して配置された一対のクリップ片のうち一方は、前記ハンガー本体と一体に成形されていることを特徴とする請求項１〜４のいずれかに記載のクリップを備えた被服用ハンガー。
【発明の詳細な説明】
【技術分野】
【０００１】
本発明は、クリップを備えた被服用ハンガーに係り、特に合成樹脂製のばねが折れたとき、その衝撃でクリップ片及びばねの破片が飛散することを防止できるクリップを備えた被服用ハンガーの技術に関するものである。
【背景技術】
【０００２】
本出願人は、合成樹脂製のばねを採用したクリップを備えた被服用ハンガーに関し、ばねが折れたときに生ずるばねの飛散防止、ばねとクリップ片の飛散防止の技術開発に永年取り組んでおり、多数の発明（例えば、特許文献１〜３参照）を提案してきた。
そして、特許文献１に記載の従来の技術は、合成樹脂製のばねが折れたときに、ばねの破片の飛散を飛散防止部で受け止めながら、クリップ片を成形する金型の摺動が可能な開口を有する飛散防止部として、コスト低減と安全性の向上を図ったものである。
【０００３】
また、特許文献２及び３に記載の従来の技術は、一対のクリップ片のうちの一方を、ハンガー本体の端部に一体に成形するとともに、前記一方のクリップ片と並列に折り曲げ可能な薄肉部材で連結して他方のクリップ片も同時に成形したものである。
特許文献２及び３に記載の従来の技術は、合成樹脂製のばねが折れたときに、ばねの破片の飛散を防止するとともに、クリップ片の飛散も防止するようにしたものである。
【先行技術文献】
【特許文献】
【０００４】
【特許文献１】特開平８−２０５９８４号公報
【特許文献２】特開２００４−１６７１４１号公報
【特許文献３】特開２００６−６１３６５号公報
【発明の開示】
【発明が解決しようとする課題】
【０００５】
特許文献１に記載の従来の技術は、合成樹脂製のばねが折れたとき、その破片等が開口部から周囲に飛散することを防止することができる。
しかしながら、ばねの弾性力により一対のクリップ片をハンガー本体に組み付けている状態であるから、ばねが折れると、クリップ片がアームから分離して、ばねが折れた衝撃で、このクリップ片やこれとともにばねの破片が飛散してしまうという課題があった。
【０００６】
また、特許文献２及び３に記載の従来の技術は、一対のクリップ片を連結することにより、特許文献１に記載の従来の技術の課題を解決することができる。
しかしながら、一対のクリップ片を折り曲げ可能な薄肉部材で連結しているので、経時劣化や低温脆性により薄肉部材が破断して、クリップ片やこれとともにばねの破片が飛散するという課題があった。
【０００７】
本発明は、一対のクリップ片の側縁における支点部を水平方向に横切って一対のクリップ片の各側縁隅部に至る水平部と、水平部の各端部から水平方向の内側に突出する突出部と、各突出部の端部に内側に膨出する係止爪とを備えた連結具における係止爪を、一対のクリップ片の側縁隅部近傍における表面に形成した切欠係止部に係止することにより、従来の被服用ハンガーが有していた薄肉部材が破断するという課題を解決することを目的としている。
【課題を解決するための手段】
【０００８】
請求項１に係る本発明は、対向して配置された一対のクリップ片と合成樹脂製の略Ｕ字形のばねとを備えたクリップをハンガー本体に少なくとも２個設けるとともに、前記各クリップ片は、上方に該クリップ片を操作する操作部と、中間に前記ばねの端部と係合する係合部と、下方に被服を挟持する挟持部と、両側縁に該クリップ片を開閉する支点部とを備えており、前記係合部に前記ばねの端部を係合させて前記ばねの弾性力により前記一対のクリップ片の挟持部同士が押圧付勢するようにしたクリップを備えた被服用ハンガーにおいて、
前記各一対のクリップ片の側縁における前記支点部を水平方向に横切って前記一対のクリップ片の各側縁隅部に至る水平部と、前記水平部の各端部から水平方向の内側に突出する突出部と、前記各突出部の端部に内側に膨出する係止爪とを備えた連結具を形成し、
前記一対のクリップ片の側縁隅部近傍における表面に、前記連結具の係止爪と係止する切欠状の切欠係止部を形成して、
前記連結具と前記切欠係止部とを、対向して配置された前記各一対のクリップ片の少なくとも一方の側縁に備えたクリップを備えた被服用ハンガーである。
【０００９】
請求項２に係る本発明は、請求項１に係る本発明の構成に加え、前記連結具が位置する前記クリップ片には、前記連結具の厚みに対応する深さの溝状部を形成して、前記連結具を前記一対のクリップ片に装着したときに、前記クリップ片の外面を略面一にしたクリップを備えた被服用ハンガーである。
【００１０】
請求項３に係る本発明は、請求項２に係る本発明の構成に加え、前記溝状部は、前記一対のクリップ片を開閉する際に、前記連結具の移動を許容する空隙部を形成して、前記連結具の変形を軽減又は不要としたクリップを備えた被服用ハンガーである。
【００１１】
請求項４に係る本発明は、請求項１〜３のいずれかに係る本発明の構成に加え、前記連結具と前記切欠係止部とを、対向して配置された前記各一対のクリップ片の両側縁に備えているクリップを備えた被服用ハンガーである。
【００１２】
請求項５に係る本発明は、請求項１〜４のいずれかに係る本発明の構成に加え、前記対向して配置された一対のクリップ片のうち一方は、前記ハンガー本体と一体に成形されているクリップを備えた被服用ハンガーである。
【発明の効果】
【００１３】
請求項１に係る本発明のクリップを備えた被服用ハンガーは、前記各一対のクリップ片の側縁における前記支点部を水平方向に横切って前記一対のクリップ片の各側縁隅部に至る水平部と、前記水平部の各端部から水平方向の内側に突出する突出部と、前記各突出部の端部に内側に膨出する係止爪とを備えた連結具を形成し、前記一対のクリップ片の側縁隅部近傍における表面に、前記連結具の係止爪と係止する切欠状の切欠係止部を形成して、前記連結具と前記切欠係止部とを、対向して配置された前記各一対のクリップ片の少なくとも一方の側縁に備えているから、仮にばねが折損したときでも、一対のクリップ片が連結具により確実に連結されており、クリップ片及びばねの破片が周囲に飛散することを防止して安全性を向上させることができるのである。
【００１４】
請求項２に係る本発明のクリップを備えた被服用ハンガーは、請求項１に係る本発明のクリップを備えた被服用ハンガーの効果に加え、前記連結具が位置する前記クリップ片には、前記連結具の厚みに対応する深さの溝状部を形成して、前記連結具を前記一対のクリップ片に装着したときに、前記クリップ片の外面を略面一にしたのであるから、被服をハンガーに着脱する際に連結具に引っ掛かるおそれをなくすることができるのである。
【００１５】
請求項３に係る本発明のクリップを備えた被服用ハンガーは、請求項２に係る本発明のクリップを備えた被服用ハンガーの効果に加え、前記溝状部は、前記一対のクリップ片を開閉する際に、前記連結具の移動を許容する空隙部を形成して、前記連結具の変形を軽減又は不要としたから、連結具の耐久性を向上させることができるのである。
【００１６】
請求項４に係る本発明のクリップを備えた被服用ハンガーは、請求項１〜３のいずれかに係る本発明のクリップを備えた被服用ハンガーの効果に加え、前記連結具と前記切欠係止部とを、対向して配置された前記各一対のクリップ片の両側縁に備えているから、一対のクリップ片の連結を一層確実にして、クリップ片及びばねが周囲に飛散することを確実に防止して安全性を一層向上させることができるのである。
【００１７】
請求項５に係る本発明のクリップを備えた被服用ハンガーは、請求項１〜４のいずれかに係る本発明のクリップを備えた被服用ハンガーの効果に加え、前記対向して配置された一対のクリップ片のうち一方は、前記ハンガー本体と一体に成形されているから、クリップのハンガー本体への取付けを不要とすることができるのである。
【図面の簡単な説明】
【００１８】
【図１】本発明の実施の形態に係るクリップを備えた被服用ハンガーの斜視図である。
【図２】本発明の実施の形態に係るクリップを備えた被服用ハンガーの正面図である。
【図３】図２のＡ−Ａ線拡大端面図である。
【図４】図２の右側面図である。
【図５】本発明の実施の形態に係るクリップを備えた被服用ハンガーにおけるハンガー本体と一方のクリップ片とを示す正面図である。
【図６】図２のＢ-Ｂ線断面図である。
【図７】図１のＣ部拡大図である。
【図８】本発明の実施の形態に係るクリップを備えた被服用ハンガーにおける連結具を示す拡大図で、（ａ）は斜視図、（ｂ）は正面図、（ｃ）は平面図、（ｄ）は右側面図及び（ｅ）は左側面図である。
【図９】本発明の実施の形態に係るクリップを備えた被服用ハンガーにおけるクリップに被服を着脱するときの、一対のクリップ片の挟持部の開閉状態と連結具の変形状態とを説明する拡大側面説明図で、（ａ)は被服を挟持していない閉じた状態、（ｂ）は挟持部を７ｍｍ開いた状態、（ｃ）は挟持部を１０ｍｍ開いた状態及び（ｄ）は挟持部を１５ｍｍ開いた状態を示す説明図である。
【発明を実施するための最良の形態】
【００１９】
以下、本発明の実施の形態に係るクリップを備えた被服用ハンガーを添付した図面を参照しながら詳細に説明する。
図１〜図９は、本発明のクリップを備えた被服用ハンガーの実施の形態を示す図面であり、図１は斜視図、図２は正面図、図３は図２のＡ-Ａ線拡大端面図、図４は図２の右側面図、図５はハンガー本体と一方のクリップ片とを示す正面図、図６は図２のＢ-Ｂ線断面図、図７は図１のＣ部拡大図、図８は連結具を示す拡大図で、斜視図、正面図、平面図、右側面図、左側面図、図９は挟持部の開閉状態と連結具の変形状態とを説明する拡大側面説明図である。
【００２０】
以下、図１〜図９に基づき、本発明の実施の形態に係るクリップを備えた被服用ハンガーについて説明する。
１はクリップを備えた被服用ハンガーであり、クリップを備えた被服用ハンガー１は、ハンガー本体１１と、ハンガー本体１１の各端部に設けた２個のクリップ２とから構成している。
【００２１】
ハンガー本体１１は、ポリプロピレンからなる合成樹脂製であり、水平に延びるアーム１２と、アーム１２の左右方向中間に立設した吊持用フック１３と、被服のサイズを表示するサイズ表示具（図示せず）の装着部１４とを備えている。  
各クリップ２は、対向して配置された一対のクリップ片３ａ、３ｂと、中間部分で折り返されて上下を逆にした略Ｕ字形のばね５とを備えている。
【００２２】
各クリップ片３ａ、３ｂは、ハンガー本体１１と同じくポリプロピレンからなる合成樹脂製であり、対向して配置された一対のクリップ片３ａ、３ｂのうち一方のクリップ片１ａは、図５に示すように、ハンガー本体１１と一体成形されている。
また、各クリップ片３ａ、３ｂは、上方にクリップ片３ａ、３ｂを押圧して操作する操作部３１と、中間内側にばね５の端部５１と係合する係合部３２（図６参照）と、下方に被服を挟持する挟持部３３と、両側縁３４に一対のクリップ片３ａ、３ｂを開閉する支点部３５とを備えている。
【００２３】
一対のクリップ片３ａ、３ｂを開閉する支点部３５は、一方のクリップ片３ａに形成された突起３５ａ（図３、図５参照）と、他方のクリップ片３ｂに形成された突起３５ａと嵌合する穴３５ｂ（図３参照）とからなる位置決め手段を備えている。
前記ばね５は、高密度カーボネイト樹脂を主体とする複合材料からなる合成樹脂製であり、対向して配置された一対のクリップ片３ａ、３ｂの係合部３２にばね５の端部５１（図６参照）を係合させてばね５の弾性力により一対のクリップ片３ａ、３ｂの挟持部３３同士が押圧付勢するようにしている。
【００２４】
また、前記各クリップ片３ａ、３ｂは、係合部３２を金型で成形する際の金型摺動用の窓孔３６と、左右の窓孔３６間に設けたばね５の破片の飛散を防止する飛散防止部３７とを設けている。
以上のように構成されたクリップを備えた被服用ハンガー１は、ハンガー本体１１、各一対のクリップ片３ａ、３ｂ及びばね５が全て合成樹脂製であるから、被服を左右のクリップ２に挟持させた状態で検針用の金属探知機で検査することができるのである。
【００２５】
しかしながら、クリップを備えた被服用ハンガー１を使用するとき、仮に合成樹脂製のばね５が折り返し部分などで折損したとき、折れたばね５の衝撃で他方のクリップ片３ｂ及びばね５の破片が飛散するおそれがある。
そこで、本発明では、折れたばね５の衝撃で他方のクリップ片３ｂ及びばね５の破片が飛散しないように、以下に説明する連結具６を設けたのである。
【００２６】
連結具６は、図８に示すように、水平部６１と、水平部６１の各端部６１ａから水平方向の内側に突出する突出部６２と、各突出部６２の端部６２ａに内側に膨出する係止爪６３とを備えている。
また、連結具６は、クリップ片３ａ、３ｂと同じくポリプロピレンからなる合成樹脂製であり、検針用の金属探知機に反応しないようにしている。
【００２７】
そして、連結具６は、図３に示すように、水平部６１を対向して配置された一対のクリップ片３ａ、３ｂの側縁３４における支点部３５を水平方向に横切って一対のクリップ片３ａ、３ｂの各側縁隅部３８に至るように設けるとともに、各突出部６２の端部６２ａに内側に膨出する係止爪６３を、一対のクリップ片３ａ、３ｂの側縁隅部３８近傍における表面３９に形成した切欠状の切欠係止部４０に係止するのである。
また、連結具６の水平部６１及び突出部６２が位置するクリップ片３ａ、３ｂには、図７に示すように、連結具６の厚みに対応する深さの溝状部４１を形成して、連結具６を一対のクリップ片３ａ、３ｂに装着したときに、クリップ片３ａ、３ｂの外面を略面一にしている。
【００２８】
溝状部４１は、高さを連結具６の高さよりも大きくして連結具６を溝状部４１に装着したときに空隙部４１ａが生ずるようにして、一対のクリップ片３ａ、３ｂを開閉する際に、空隙部４１ａにより連結具６の滑り移動を許容するようにし、図９に説明するように、連結具６の曲り変形を軽減又は不要としている。
連結具６は、ばね５を装着した状態で、一対のクリップ片３ａ、３ｂの溝状部４１に押し込むことにより、弾性変形により突出部６２及び係止爪６３が拡がって係止爪６３を切欠係止部４０に係止でき、ワンタッチで装着することができるのである。
【００２９】
また、連結具６とクリップ片３ａ、３ｂの外面とは略面一としているので、被服をクリップ２に着脱する際に連結具６に引っ掛かることがないのである。
連結具６を装着して完成したクリップ２に、被服を着脱するとき、挟持部３３の開閉状態と連結具６の滑り移動及び曲がり変形状態を図９（ａ）〜（ｄ）に示す。
【００３０】
図９（ａ）は被服を挟持していない閉じた状態、（ｂ）は挟持部３３を５ｍｍ開いた状態で、薄手の被服の着脱時であり、連結具６の曲り変形が無い状態である。
図９（ｃ）は挟持部３３を１０ｍｍ開いた状態で、中間厚の被服の着脱時であり、連結具６に曲がり変形が生じない限度の開き状態、（ｄ）は挟持部３３を１５ｍｍ開いた状態で、厚手の被服の着脱時であり、連結具６に曲がり変形が生じた状態を示している。
【００３１】
なお、クリップ２の挟持部３３の開閉状態をどのように設計し、溝状部４１とその空隙部４１ａをどのように設計して連結具６の曲り変形をどのように設計するかについては、クリップを備えた被服用ハンガー１の要求仕様に応じて適宜決定するのである。
【００３２】
以上の実施の形態では、連結具を装着するクリップ片には連結具の厚みに対応する深さの溝状部を形成したが、クリップ片の形状、厚みに応じて、溝状部の深さを連結具の厚みよりも小さく形成してもよいことはもちろんである。
また、溝状部を形成することに替えて連結具の内面に突起を形成するとともに、クリップ片に凹部を形成して位置決め手段としてもよく、位置決め手段はクリップ片の支点部近傍に形成することにより一対のクリップ片の開閉時の移動や曲り変形が円滑となる。
【００３３】
以上の実施の形態では、溝状部に空隙部を形成して連結具の滑り移動による連結具の曲り変形を軽減又は不要としたが、空隙部を形成せずに連結具の曲り変形によることもできる。
以上の実施の形態では、連結具と切欠係止部とを１個のクリップに対して２個形成して、対向して配置された各一対のクリップ片の両側縁に備えるようにして、ばねが折損した際に他方のクリップ片が一方のクリップ片からの分離防止を一層確実としているが、１個のクリップに対して１個形成して一方の側縁に備えるようにしてもよい。
【００３４】
以上の実施の形態では、対向して配置された一対のクリップ片のうち一方は、ハンガー本体と一体に成形されるようにしたが、両方のクリップ片ともハンガー本体と別体に形成して、クリップを適宜の固定手段でハンガー本体に固定するようにしてもよい。
また、以上の実施の形態では、ハンガー本体に２個のクリップを備えているが、３個以上のクリップを備えるようにしてもよい。
【符号の説明】
【００３５】
１    クリップを備えた被服用ハンガー
１１  ハンガー本体
２    クリップ
３ａ、３ｂ  クリップ片
３１  操作部
３２  係合部
３３  挟持部
３４  側縁
３５  支点部
３８  側縁隅部
３９  表面
４０  切欠係止部
４１  溝状部
４１ａ  空隙部
５    ばね
５１  ばねの端部
６    連結具
６１  水平部
６１ａ  水平部の端部
６２  突出部
６２ａ  突出部の端部
６３  係止爪
【図１】
0005927228.tif 000002
【図２】
0005927228.tif 000003
【図３】
0005927228.tif 000004
【図４】
0005927228.tif 000005
【図５】
0005927228.tif 000006
【図６】
0005927228.tif 000007
【図７】
0005927228.tif 000008
【図８】
0005927228.tif 000009
【図９】
0005927228.tif 000010